【手続補正書】
【提出日】平成16年2月23日(2004.2.23)
【手続補正１】
【補正対象書類名】特許請求の範囲
【補正対象項目名】全文
【補正方法】変更
【補正の内容】
【特許請求の範囲】
【請求項１】
構成要素として少なくとも１台のローカルサーバと複数の受信機を含むローカル分散サブシステムを備える音声／視覚コンテンツ分散システムを管理する方法であって、該ローカルサーバがローカル分散サブシステム内での受信機に対する音声／視覚コンテンツの分散を管理するように適応され、リモートサーバがローカル分散サブシステムの動作を監視するように適応され、
ローカルサーバで音声／視覚コンテンツを記憶することと、
ローカルサーバで記憶され、ローカル分散サブシステム内での分散に使用可能な音声／視覚コンテンツのメニューを受信機ごとに提供することと、
音声／視覚コンテンツに対する受信機の少なくとも１台からの要求をローカルサーバで受信することと、
ローカルサーバから、音声／視覚コンテンツを要求した該受信機または各受信機に要求された音声／視覚コンテンツを送信することと、
ローカル分散サブシステムの構成要素からローカルサーバに、あるいはローカルサーバの中で、ローカル分散サブシステムに関する、またはローカル分散サブシステムの使用に関するデータを送信することと、
ローカルサーバからリモートサーバに前記データを送信し、その結果リモートサーバがローカル分散サブシステムの動作を監視できることと、
を備えることを特徴とする方法。
【請求項２】
前記データに応じて前記サブシステムを構成することをさらに備えることを特徴とする請求項１に記載の方法。
【請求項３】
リモートサーバで前記データを受信することと、データに応じてシステムの性能を分析することとをさらに備えることを特徴とする請求項１または２に記載の方法。
【請求項４】
前記データに応じてエラーをデバッグすることをさらに備えることを特徴とする請求項１から３のいずれかに記載の方法。
【請求項５】
リモートサーバからローカルサーバに追加データを送信することと、好ましくは追加データをローカル分散サブシステム内で分散することとをさらに備えることを特徴とする請求項１〜４の何れかに記載の方法。
【請求項６】
追加データが音声／視覚コンテンツであることを特徴とする請求項５に記載の方法。
【請求項７】
リモートサーバで前記データを受信することと、データに応えて追加データを送信することとをさらに備える請求項５に記載の方法。
【請求項８】
前記データがステータス情報を備えることを特徴とする請求項１〜７の何れかに記載の方法。
【請求項９】
前記データが診断データを備えることを特徴とする請求項１〜８の何れかに記載の方法。
【請求項１０】
診断データがソフトウェアのダウンロード及びインストールに関係するか、あるいは他のデータのダウンロードに関係するか、ローカル分散サブシステムに送信されるデータが正しく受信されなかったことを示すか、あるいはソフトウェアが無事にインストールされたかどうかを示すか、あるいはローカル分散サブシステムにあるソフトウェアが誤動作していることを示すか、あるいはエラーメッセージを備えることを特徴とする請求項９に記載の方法。
【請求項１１】
前記データに応えてリモートサーバからローカルサーバにソフトウェアを送信することと、前記データに応えてローカル分散サブシステムで前記ソフトウェアをインストールすることの少なくとも１つをさらに備えることを特徴とする任意の請求項９または１０に記載の方法。
【請求項１２】
前記データがユーザ入力データを備えることを特徴とする請求項１から８のいずれかに記載の方法。
【請求項１３】
ユーザ入力データに応じてユーザプロファイルを作成するか、更新することをさらに備えることを特徴とする請求項１２に記載の方法。
【請求項１４】
ユーザ入力データがユーザキー打ちのレコードを備えることを特徴とする請求項１２または１３に記載の方法。
【請求項１５】
それぞれのデータの重要性を表す優先順位データを生成することをさらに備える請求項１〜１４の何れかに記載の方法。
【請求項１６】
前記データがこのような優先順位データに応じてリモートサーバに送信されることを特徴とする請求項１５に記載の方法。
【請求項１７】
前記データがリモートサーバに定期的に送信されることを特徴とする請求項１〜１６の何れかに記載の方法。
【請求項１８】
前記データに応えてリモートサーバでメッセージを作成することと、好ましくはリモートサーバでメッセージを表示すること、及び／またはローカルサーバにメッセージを送信することとをさらに備えることを特徴とする請求項１〜１７の何れかに記載の方法。
【請求項１９】
リモートサーバに送信する前にローカルサーバで前記データを処理することとをさらに備えることを特徴とする請求項１〜１８の何れかに記載の方法。
【請求項２０】
前記データがローカルサーバからリモートサーバにＸＭＬファイルとして送信されることを特徴とする請求項１〜１９の何れかに記載の方法。
【請求項２１】
リモートサーバに送信する前に、ローカルサーバで好ましくはデータベースに前記データを記憶することとをさらに備えることを特徴とする請求項１〜２０の何れかに記載の方法。
【請求項２２】
それぞれがローカルサーバを含む、複数のローカル分散サブシステムを提供することと、
それぞれのローカルサーバに各ローカル分散サブシステムの構成要素からデータを送信することと、
それぞれのこのようなローカルサーバからリモートサーバにデータを送信することと、
をさらに備えることを特徴とする請求項１〜２１の何れかに記載の方法。
【請求項２３】
ローカル分散サブシステム内でのデータの分散、及び通信がローカルサーバによって制御されることを特徴とする請求項１〜２２の何れかに記載の方法。
【請求項２４】
ローカルサーバ及び該受信機または各受信機がポイントツーポイントデジタル分散ネットワークによってリンクされることを特徴とする請求項１〜２３の何れかに記載の方法。
【請求項２５】
構成要素として少なくとも１台のローカルサーバと複数の受信機を含むローカル分散サブシステムであって、該ローカルサーバが音声／視覚コンテンツを記憶する記憶手段を備え、ローカル分散サブシステム内の受信機に対する音声／視覚コンテンツの分散を管理するように適応されるローカル分散サブシステムと、
ローカル分散サブシステムの動作を監視するように適応されるリモートサーバと、
ローカルサーバに記憶され、ローカル分散サブシステム内での分散に使用可能である音声／視覚コンテンツのメニューを受信機ごとに提供する手段と、
音声／視覚コンテンツの受信機の少なくとも１つからの要求をローカルサーバで受信する手段と、
ローカルサーバから、音声／視覚コンテンツを要求した該受信機または各受信機に要求された音声／視覚コンテンツを送信する手段と、
ローカル分散サブシステムの構成要素からローカルサーバに、あるいはローカルサーバ内で、ローカル分散サブシステムに関する、あるいはローカル分散サブシステムの使用に関するデータを送信する手段と、
リモートサーバがローカル分散サブシステムの動作を監視できるようにローカルサーバからリモートサーバに前記データを送信する手段と、
を備えることを特徴とする音声／視覚コンテンツ分散システム。
【請求項２６】
前記データに応じて前記サブシステムを構成する手段とをさらに備えることを特徴とする請求項２５のシステム。
【請求項２７】
リモートサーバで前記データを受信する手段と、データに応じてシステムの性能を分析する手段とをさらに備えることを特徴とする請求項２５または２６のシステム。
【請求項２８】
前記データに応じてエラーをデバッグする手段をさらに備えることを特徴とする請求項２５から２７のいずれかに記載のシステム。
【請求項２９】
リモートサーバからローカルサーバへ追加のデータを送信する手段をさらに備え、好ましくはローカル分散サブシステム内で追加データを分散する手段をさらに備えることを特徴とする請求項２５から２８のいずれかに記載のシステム。
【請求項３０】
追加データが音声／視覚コンテンツを備えることを特徴とする請求項２９のシステム。
【請求項３１】
リモートサーバで前記データを受信する手段と、データに応えて追加データを送信する手段とをさらに備えることを特徴とする請求項２９のシステム。
【請求項３２】
前記データがステータス情報を備えることを特徴とする請求項２５〜３１の何れかに記載のシステム。
【請求項３３】
前記データが診断データを備えることを特徴とする請求項２５から３２のいずれかに記載のシステム。
【請求項３４】
診断データがソフトウェアのダウンロードとインストールに、あるいは他のデータのダウンロードに関し、ローカル分散サブシステムに送信されたデータが正しく受信されなかったことを示すか、あるいはソフトウェアが無事にインストールされたかどうかを示すか、あるいはローカル分散サブシステムでのソフトウェアが誤動作していることを示すか、あるいはエラーメッセージを備えることを特徴とする請求項３３のシステム。
【請求項３５】
前記データに応えてリモートサーバからローカルサーバにソフトウェアを送信する手段と、前記データに応えてローカル分散サブシステムで前記ソフトウェアをインストールする手段の少なくとも１つをさらに備えることを特徴とする請求項３３または３４のシステム。
【請求項３６】
前記データがユーザ入力データを備えることを特徴とする請求項２５から３２のいずれかに記載のシステム。
【請求項３７】
ユーザ入力データに応じてユーザプロファイルを作成または更新する手段をさらに備えることを特徴とする請求項３６のシステム。
【請求項３８】
ユーザ入力データがユーザキー打ちのレコードを備えることを特徴とする請求項３６または３７のシステム。
【請求項３９】
それぞれのデータの重要性を表す優先順位データを生成する手段をさらに備えることを特徴とする請求項２５から３８のいずれかに記載のシステム。
【請求項４０】
送信手段がこのような優先順位データに応じて前記データをリモートサーバに送信するように適応されることを特徴とする請求項３９のシステム。
【請求項４１】
送信手段がリモートサーバに定期的に前記データを送信するように適応される請求項２５から４０のいずれかに記載のシステム。
【請求項４２】
前記データに応えてリモートサーバでメッセージを作成する手段をさらに備え、好ましくは、リモートサーバでメッセージを表示する手段と、及び／またはローカルサーバにメッセージを送信する手段とをさらに備えることを特徴とする請求項２５から４１のいずれかに記載のシステム。
【請求項４３】
リモートサーバに送信する前にローカルサーバで前記データを処理する手段をさらに備えることを特徴とする請求項２５から４２のいずれかに記載のシステム。
【請求項４４】
ローカルサーバからリモートサーバに前記データを送信する手段が、ＸＭＬファイルとしてデータを送信するように適応されることを特徴とする請求項２５から４３のいずれかに記載のシステム。
【請求項４５】
リモートサーバに送信する前にローカルサーバに前記データを記憶する手段をさらに備え、ローカルサーバでデータを記憶する手段が好ましくはデータベースを備えることを特徴とする請求項２５から４４のいずれかに記載のシステム。
【請求項４６】
ローカルサーバをそれぞれが含む複数のローカル分散サブシステムと、
各ローカル分散サブシステムの構成要素からそれぞれのローカルサーバにデータを送信する手段と、
それぞれのこのようなローカルサーバからリモートサーバにデータを送信する手段と、を備える請求項２５から４５のいずれかに記載のシステム。
【請求項４７】
ローカル分散サブシステム内のデータの分散及び通信がローカルサーバによって制御されることを特徴とする請求項２５から４６のいずれかに記載のシステム。
【請求項４８】
ローカルサーバ及び該受信機または各受信機をリンクするポイントツーポイントデジタル分散ネットワークをさらに備えることを特徴とする請求項２５から４７のいずれかに記載のシステム。
【請求項４９】
複数のユーザにサービスを提供するサーバと、
ユーザからデータを受信する手段と、
サーバにこのようなデータを送信する手段と、
このようなデータを記憶するメモリと、
ハブ、及び少なくとも１台の追加サーバであって、サーバにサービスを提供する該ハブと該少なくとも１台の追加サーバと、
ハブがさまざまなサーバからのデータを分析できるようにハブに前記データを送信する手段と、
記憶されるデータに応じてシステム内のエラーをデバッグする手段と、
を備えるデータを記憶するシステム。